(57)【要約】【課題】コンパクトで操作性の良いサブロックを備え、かつ戸締り性に優れた、上げ下げ窓を提供する【解決手段】枠体と、枠体の内側にスライド可能に取り付けた内障子および外障子を備え、内障子、および外障子は、それぞれ上下の横框）と、左右の縦框とを備えるとともに、外障子の縦框下部にはサブロック１００を取り付け、サブロックには、見付方向に設けられた操作部１１２と、見込み方向に設けた固定部１４０とを備えており、操作部には、枠部１１５と、該枠部内部に取り付け、室内側に突出するストッパー１０１とを設け、固定部にはストッパーの回動の支点を備えた機構部１１８を形成する。【選択図】      図３
2005036425.tif 000002
【特許請求の範囲】
【請求項１】
枠体と、前記枠体の内側にスライド可能に取り付けられた内障子および外障子を備え、
前記内障子、および外障子は、それぞれ上下の横框と、左右の縦框とを備えるとともに、前記外障子の縦框下部にはサブロックが取り付けられており、
前記サブロックは、見付方向に設けられた操作部と、見込み方向に設けられた固定部とを備えており、前記操作部には、枠部と、該枠部内部に取り付けられ、室内側に突出するストッパーとが設けられており、前記固定部には前記ストッパーの回動の支点が備えられた機構部が形成されている
ことを特徴とする上げ下げ窓。
【請求項２】
枠体と、前記枠体の内側にスライド可能に取り付けられた内障子および外障子を備え、該外障子にサブロックを備えた上げ下げ窓であって、
前記内障子、および外障子は、それぞれ横通しの上下框からなる横框と、左右の縦框とを備え、いずれかの縦框には、固定孔が設けられ、
前記縦框には、パネルがパネル押えを介して装着されているとともに、前記外障子の縦框の室内面下部の前記パネル側角部が切り欠かれ、
前記サブロックは、見付方向に設けられた操作部と、見込み方向に設けられた固定部とを備えており、前記操作部は、上面に溝が長手方向に形成された枠部と、該枠部内部に取り付けられ、室内側に突出するストッパーとが設けられ、前記固定部には該ストッパーの回動の支点が備えられた機構部と、孔とが形成されており、
前記サブロックは、前記切欠かれた縦框の下端が前記溝に嵌入されるとともに前記固定部が前記パネル押えと前記縦框とに挟持され、前記縦框の固定孔にねじ留めされる
ことを特徴とする上げ下げ窓。
【請求項３】
前記サブロックの前記枠部下面が、前記内障子の横框の上面に接している、請求項２に記載の上げ下げ窓。
【発明の詳細な説明】
【０００１】
【発明の属する技術分野】
本発明は、二重施錠装置を備えた上げ下げ窓に関する。
【０００２】
【従来の技術】
近年、建具には高い気密性、水密性、遮音性、断熱性等が求められるようになり、これらの要求を満たすために、多くの建具では建物に枠体を取り付け、この枠体に障子を取り付けた構造となっている。このことは、障子を上下動させて開け閉めする上げ下げ窓においても同じである。
【０００３】
多くの上げ下げ窓は室外側の上側障子と、室内側の下側障子との可動障子を備えており、上側障子と下側障子とを別々に、もしくは同時に上下動させて換気等を行うことができる。
【０００４】
上側障子の左、もしくは右框の下側にはサブロックが設けられており、上側障子、および下側障子が閉じられた状態においてサブロックが使用可能となる。この状態においてサブロックから係止片を突出させると、下側障子の上側に係止片が突き当たり、上方向に移動するのを妨ぐとともに、上側障子も係止片によって下方向への移動が不可能となる。そのため、クレセント等の施錠装置に加えて、防犯装置としてサブロックを取り付け、ダブルロックとして防犯機能を高める場合が多い。
【０００５】
特許文献１には、図６に示すようにサブロック、およびサブロックが框に取り付けられている様子が開示されている。
【０００６】
（ａ）にはサブロックの側面図が示されている。ケース１は直方体の形状であって、底壁２と後壁３と両側壁４、および５（図示せず。）で形成され、前面６と、上面７が開口された形状である。通常、ストッパー８はケース１内に組み込まれており、押し込み操作により交互に突出位置と引込位置に保持されるように構成されている。
【０００７】
図６（ｂ）には框にサブロックを横引きの戸に取り付けた様子が示されている。ケース１は、室外側の横引障子１０の下框１１の召し合せ框１２に近い部分に固着され、ストッパー８の前面壁１３が室内側の横引障子１４の召し合せ框１５の軌道に望み、室内外の両障子がロックされている。
【０００８】
また、框を樹脂框とした場合は、サブロックを安定して固定させるため、ケース１をさらに左側に備えて取り付け、Ｌで示される距離が長くとられている。
【０００９】
上記は横引き戸にサブロックが取り付けられている例であるが、室外側障子を上側障子、室内側障子を下側障子として９０度回転させた状態にある上げ下げ窓においても上記サブロックの働きは同様である。
【特許文献１】特開平８−６８２４８号公報
【００１０】
【発明が解決しようとする課題】
しかし、ストッパー、サブロックケースに厚みがある上、さらに爪やフランジ等も設ける場合もあり、その分大きさや厚さを一定以上に設ける必要が生じていた。そのため、サブロックをとりつける框も、サブロックに合わせて厚く設ける必要があり、設計上の制限の原因となっていた。逆に従来の構成のままサブロックケース全体を小さくしてしまうと、操作部が小さくなりすぎて扱いにくくなるという問題もあった。
【００１１】
また、框に樹脂形材等の化粧材を施した場合、サブロック取り付け位置を召し合せ框から離した位置に設けなければならず、ストッパー前面壁との距離が生じるため窓が可動し、戸締り性に欠けていた。
【００１２】
そこで、本発明は、コンパクトで操作性の良いサブロックを備え、かつ戸締り性に優れた、上げ下げ窓を提供することを課題とする。
【００１３】
【課題を解決するための手段】
以下、本発明について説明する。なお、本発明の理解を容易にするために添付図面の参照符号を括弧書きにて付記するが、それにより本発明が図示の形態に限定されるものではない。
【００１４】
請求項１の発明は、枠体（５０）と、枠体の内側にスライド可能に取り付けられた内障子（６０）および外障子（８０）を備え、内障子、および外障子は、それぞれ上下の横框（６１、６２、８１、８２）と、左右の縦框（６３、６４、８３、８４）とを備えるとともに、外障子の縦框下部にはサブロック（１００）が取り付けられており、サブロックは、見付方向に設けられた操作部（１１２）と、見込み方向に設けられた固定部（１４０）とを備えており、操作部には、枠部（１１５）と、該枠部内部に取り付けられ、室内側に突出するストッパー（１０１）とが設けられており、固定部にはストッパーの回動の支点が備えられた機構部（１１８）が形成されていることを特徴とする上げ下げ窓（２００）を提供して前記課題を解決する。
【００１５】
請求項１の発明によれば、サブロック全体を厚みの少ない形状に形成することが可能となる。また、操作部のストッパーの面積は、ゆとりをもって設計されているため簡便に施錠操作を行うことが可能である。
【００１６】
請求項２の発明は、枠体（５０）と、枠体の内側にスライド可能に取り付けられた内障子（６０）および外障子（８０）を備え、外障子にサブロック（１００）を備えた上げ下げ窓（２００）であって、内障子（６０）、および外障子（８０）は、それぞれ横通しの上下框からなる横框（６１、６２、８１、８２）と、左右の縦框（６３、６４、８３、８４）とを備え、いずれかの縦框には、固定孔（１６２）が設けられ、縦框には、パネル（８５、８６）がパネル押え（１１１）を介して装着されているとともに、外障子の縦框の室内面下部のパネル側角部が切り欠かれ（１６１）、サブロックは、見付方向に設けられた操作部（１１２）と、見込み方向に設けられた固定部（１４０）とを備えており、操作部は、上面に溝が長手方向に形成された枠部（１１５）と、枠部内部に取り付けられ、室内側に突出するストッパー（１０１）とが設けられ、固定部にはストッパーの回動の支点が備えられた機構部（１１８）と、孔（１２２）とが形成されており、サブロックは、切欠かれた縦框の下端（１６０ａ）が溝に嵌入されるとともに固定部がパネル押えと縦框とに挟持され、縦框の固定孔にねじ留めされることを特徴とする上げ下げ窓（２００）を提供して前記課題を解決する。
【００１７】
請求項２の発明によれば、サブロックをコンパクトに取り付けることができ、框を薄く設けることが可能である。また、溝と縦框下部にねじ留めされるよう設けられた固定部の孔が、縦框の固定孔と一体固定されることによってバランスよく固定することが可能である。
【００１８】
請求項３の発明は、サブロック（１００）の枠部下面（１５２）が、内障子の横框の上面（６１ａ）に接している、請求項２に記載の上げ下げ窓を提供する。
【００１９】
請求項３の発明によれば、サブロックが外障子の下框に取り付けられるため、外障子の下框と重なるように枠体に取り付けられている内障子の上框との距離が無いように設けることが可能で、施錠後の障子の遊びをなくすことによって戸締り性を良くすることができる。
【００２０】
本発明のこのような作用及び利得は、次に説明する実施の形態から明らかにされる。
【００２１】
【発明の実施の形態】
以下本発明を、図面に示す実施形態に基づき説明する。
【００２２】
図１（ａ）は、本発明に係る上げ下げ窓２００が開放されているときに当該上げ下げ窓２００を室内側から正面視したときの概略図であり、図１（ｂ）は、図１（ａ）に示した上げ下げ窓２００が閉鎖されているときに当該上げ下げ窓２００を室内側から正面視したときの概略図である。
【００２３】
図示の上げ下げ窓２００はダブルハング型の上げ下げ窓であり、建物（図示せず。）の所定箇所に取り付けられる枠体５０と、枠体５０の開口部４８を閉鎖または開放するために当該枠体５０に取り付けられた２枚の可動障子である内障子６０、および外障子８０とを備えている。
【００２４】
枠体５０は、上枠１、下枠１０、右縦枠２０、および左縦枠３０によって構成されており、上枠１および下枠１０それぞれの長手方向端面は、右縦枠２０および左縦枠３０それぞれの長手方向端部に形成された平坦面に当接している。
【００２５】
上枠１内には、内障子６０および外障子８０それぞれに１対ずつ対応して、バランサー４０ａ、および４０ｂが設けられている。対をなす２個のバランサーは、上枠１内の見付け方向両端部に分かれて配置されている。また、右縦枠２０および左縦枠３０には、それぞれ、内障子６０用のガイド溝および外障子８０用のガイド溝が形成されている。図１には、便宜上、外障子８０に対応する１対のバランサー４０ａ、４０ｂのみが示されている。
【００２６】
内障子６０は、上框６１と、下框６２と、右縦框６３と、左縦框６４と、これらの框に固定されたガラスパネル６５とを有しており、下框６２には引き手６２ａが設けられている。また、右縦框６３の下端部には右縦枠２０に形成されているガイド溝に挿入されるガイド棒６０ａが設けられており、左縦框６４の下端部には、左縦枠３０に形成されているガイド溝に挿入されるガイド棒６０ｂが設けられている。
【００２７】
ガイド棒６０ａには、内障子６０に対応する１対のバランサーの一方に連なったワイヤの一端が係止されており、ガイド棒６０ｂには、内障子６０に対応する１対のバランサーの他方に連なったワイヤの一端が係止されている。内障子６０は、対応する１対のバランサーによって吊られた状態にある。
【００２８】
同様に、外障子８０は、上框８１、下框８２、右縦框８３、左縦框８４、および、これらの框に固定されたガラスパネル８５を有しており、上框８１には掘り込み引き手８１ａが形成されている。また、右縦框８３の下端部には右縦枠２０に形成されているガイド溝に挿入されるガイド棒８０ａが設けられており、左縦框８４の下端部には、左縦枠３０に形成されているガイド溝に挿入されるガイド棒８０ｂが設けられている。
【００２９】
ガイド棒８０ａには、外障子８０に対応する１対のバランサー４０ａ、４０ｂの一方４０ａに連なったワイヤ４２ａの一端が係止されており、ガイド棒８０ｂには、外障子８０に対応する１対のバランサー４０ａ、４０ｂの他方４０ｂに連なったワイヤ４２ｂの一端が係止されている。外障子８０は、対応する１対のバランサー４０ａ、４０ｂによって吊られた状態にある。図１（ａ）、および（ｂ）においては、便宜上、各ワイヤ４２ａ、４２ｂを二点鎖線で表している。
【００３０】
枠体５０の開口部４８（図１（ａ）参照）を閉鎖または開閉するにあたっては、内障子６０または外障子８０が上下方向へスライドされる。内障子６０および外障子８０のいずれもがバランサーによって吊られているので、障子を閉める際の負荷および障子を開ける際の負荷が軽減される。なお、内障子６０と外障子８０との召合わせ部には、戸締まりのためのクレセント９０、および受座（図示せず。）が取り付けられており、内障子６０にはクレセント９０が、外障子８０にはクレセント９０と係合する受座が設けられている。
【００３１】
また、外障子８０の右縦框８３には、防犯のための二重施錠装置であるサブロック１００が、下部が内障子６０の上框６１とほぼ同一面となるように設けられている。
【００３２】
上述した構造を有する上げ下げ窓２００は、右縦框８３に設けられているサブロック１００に最大の特徴を有している。以下、図２〜図５を参照しつつその構造を詳述する。
【００３３】
図２には図１ｂのＩＩ−ＩＩ線に沿った断面図を示す。外障子８０のガラスパネル８５はガラスパネル８６と対に設けられた複層ガラスであって、パネル押え（以下「グレージングチャネル」とする。）１１１ａ、および左縦框８４に取り付けられたグレージングチャネル１１１ｂ（本図には現れていない。）を介して、セパレーター８７ａ、８７ｂ（セパレーター８７ｂは図示せず。）を狭持するように右縦框８３に装着されている。また、内障子６０もガラスパネル６５、および６６を備えた複層ガラスであって、左縦框６４に取り付けられたグレージングチャネル１１１ｃにより装着され、セパレーター６７ａによって所定の空隙を保持している。また、右縦框６３におけるグレージングチャネル１１１ｄ、セパレーター、６７ｂ（図示せず。）も同様に装着されている。
【００３４】
なお、枠体５０に装着されるガラスパネルは、上記の複層ガラスのみならず、単層ガラスにも適用可能である。
【００３５】
サブロック１００は、外障子８０の右縦框８３の樹脂形材８３ａを挟むように取り付けられ、サブロック１００に設けられた固定部１４０と、右側面８３ｂとがねじ１１０によってねじ留めされて固定されている。また、固定部１４０の左側面は、ほぼ一体がグレージングチャネル１１１ａに当接するよう取り付けられる。そのため、サブロックを別体として設ける必要がなく、コンパクトに形成される。よって、右縦框８３が厚みをもたせて設けることなく外障子８０が取り付けられ、設計に自由度のある上げ下げ窓２００が設計できる。
【００３６】
また、サブロック１００からは室内側にストッパー１０１が突出することによって、二重施錠が可能となる。
【００３７】
なお、サブロック１００は、上記の右縦框８３と同様の方法で左縦框８４へも取付け可能である。
【００３８】
図３は、サブロック１００の全体形態を示す概略図である。（ａ）は正面図を示す。本図は、サブロック１００が上記右縦框８３に取り付けられた状態における室内側操作部１１２の正面図である。枠部１１５にはストッパー１０１が、ほぼ全面に設けられて収納されている。また、ストッパー正面１０１ａの頭部には押圧部１１６が設けられ、複数形成された凹凸によって押し位置１１７が示されている。この押し位置１１７の表示により、余分な力を加えることなくストッパーを室内側に突出させることができる。ストッパー１０１の正面の幅は、人の指での簡便な操作が可能であるように、ゆとりをもって設計されている。
【００３９】
（ｂ）は、図３（ａ）におけるＩＩＩｂ−ＩＩＩｂ線に沿った断面図である。本図は上記上げ下げ窓２００がサブロック１００によって施錠されることなく開閉が可能な状態を示している。固定部１４０には、上部が細く、下部が膨らんだ形状の機構部１０１ｂが設けられている。機構部１０１ｂの上部には、ストッパー１０１を枠部１１５内に自由に出し入れ可能なように形成された段つきリベット１１８が、リベット孔１２３に設けられている。ストッパー１０１は、リベット１１８を軸として回動することにより枠部１１５から突出し、もしくは枠部１１５内に引き込まれる。機構部１０１ｂの下部には、上に向いた凹部が２箇所備えられた孔１１９が設けられており、孔１１９内部に入るように固定部１４０に設けられた調節部１２０の上端部が当接されている。ストッパー１０１が室内側に突出する際に、機構部１０１ｂも連動して室内側へ移動するが、その際、孔１１９は、孔１１９内部で移動する調節部１２０の動きが制限されぬよう、調節部１２０の軌道にあわせて大きく設けられている。なお、本図はストッパー１０１が引き込み位置に保持され、上げ下げ窓２００が開くことが可能な状態を表しているため、調節部１２０は引き込み溝１１９ａに当接されている。ストッパー１０１は枠部１１５内に納まるように薄型にコンパクトに形成されている。ストッパー１０１が、枠部１１５に収納されていると、本図で示されているように枠部１１５と一体となっており、枠部１１５はもとより、ストッパー１０１に突き当たることなく、スムーズに外障子８０、および内障子６０を開閉することができる。
【００４０】
また、機構部１０１ｂの下部にはサブロック１００を右縦框８３に取り付けるための孔１２２が設けられている。
【００４１】
枠部１１５の上面からストッパー１０１の上面までは、ストッパーの押圧によって収縮するコイルスプリング１２１が設けられている。また、枠部１１５の上面の外障子８１側面には切り欠き部１５０（図３（ｄ）参照。）が設けられており、固定部１４０とほぼ同じ高さとなるように形成されている。また、枠部１１５の下面の内障子６０側には、上に凸に形成された切り欠き部１５２が形成されている。
【００４２】
図３（ｃ）は、ストッパー１０１が突出して、施錠がなされている様子を概略的に示した断面図である。ストッパー１０１は、押圧部１１６部が押し込まれるとストッパー正面１０１ａの下面１３０が最も室内側に突出する。下面１３０は、施錠時において上記内障子の上框が突き当たるように形成されている。
【００４３】
図３（ｄ）はサブロック１００を上方から見た図である。枠部１１５の上面１１５ｂと、上面１１５ｂと略直角となるように上面１１５ｂ右端から上面１１５ｂより僅かに低い位置において室外側方向へ延設された固定部１４０の上面１４０ｂとが示されている。枠部１１５の上面１１５ｂには、上面１１５ｂの室外側左端部が切り欠かれ、右方向へ略直角に延長された溝１５０と、溝１５０より高く、上面１１５ｂより低い位置となるように形成された係止部１５１とが設けられている、なお、固定部の上面１４０ｂの位置は、溝１５０の底面とほぼ同じ高さで設けられている。
【００４４】
（ｅ）はサブロック１００を下方から見た図である。枠部１１５の下面１１５ｃと、固定部１４０の下面１４０ｃとが示されている。枠部１１５の下面１１５ｃには、溝１５２が設けられている。
【００４５】
図４は、右縦框８３とサブロック１００との関係を示す斜視図である。右縦框８３に形成されている樹脂形材１６０には、左側から室内側右方向へ切り込み、さらに下框８２の上桟まで下方に切り欠かれた切り欠き部１６１が形成されている。サブロック１００は、この切欠き部１６１に取り付けられる。
【００４６】
右縦框の右側面８３ｂには、固定孔１６２が設けられており、上記サブロック１００の機構部１０１ｂに形成されている孔１２２側から、固定孔１６２に差し入れられたねじ１１０を締め付けることによって、サブロック１００が固定される。
【００４７】
次にサブロック１００を右縦框８３に取り付ける順番について説明する。まず、
サブロック１００の溝１５０を切り欠き部１６１の縦框側の樹脂形材下端１６０ａに嵌入させ、続いて切り欠き部１６１の下框８２側の上端８２ａに嵌入させることによって樹脂形材１６０と枠部１１５とが仮留めされる。係止部１５１は、切り欠き部１６１に設けられた第二切り欠き部１６１ａに係合し、サブロック１００がガラスパネル８５方向に外されることが防止される。この状態で、ねじ１１０を固定孔１６２に螺合することにより本留めされる。
【００４８】
サブロック１００は、枠部１１５の上面１１５ｂの長手方向一体に設けられた溝１５０によって上端を、また枠部１１５の下面１１５ｃに溝１５０に設けられた溝１５２によって下端を隙間なく固定され、右側面を固定部１４０によってねじ１１０でバランスよく固定されている。
【００４９】
この切り欠き部１６１は、樹脂材１６０を施していない框にも同形状で設けることができ、サブロック１００を取り付けることが可能である。
【００５０】
図５は、サブロック１００が右縦框８３に取り付けられた様子を概略的に示す斜視図である。サブロック１００は、外障子８０の下框８２に直接接するように取り付けられているため、下框８２と重ねて取り付けられる内障子６０の上框６１の上面（本図には破線で示す。）との距離はほとんどない。よって、ストッパー１０１が室内側に突出した施錠状態では、外障子８０、および内障子６０を枠体５０に、枠部１１５の下部が有する僅かな厚さに相当する隙間の長さの移動をもって当接させることが可能となる。
【００５１】
以上の説明では、バランサーはドラムを備えるものについて説明したが、本発明はこれに限定されるものではなく、例えばスパイラルバランサーを使用した上げ下げ窓にも適用可能である。
【００５２】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う上げ下げ窓もまた本発明の技術的範囲に包含されるものとして理解されなければならない。
【００５３】
【発明の効果】
以上に説明したように、請求項１の発明によればサブロック全体を厚みの少ない形状に形成することが可能となる。また、操作部のストッパーの面積は、ゆとりをもって設計されているため簡便に施錠操作を行うことが可能である。
【００５４】
また、請求項２の発明によれば、サブロックをコンパクトに取り付けることができ、框を薄く設けることが可能である。また、溝と縦框下部にねじ留めされるよう設けられた固定部の孔が、縦框の固定孔と一体固定されることによってバランスよく固定することが可能である。
【００５５】
また、請求項３の発明によれば、サブロックが外障子の下框に取り付けられるため、外障子の下框と重なるように枠体に取り付けられている内障子の上框との距離が無いように設けることが可能で、施錠後の障子の遊びをなくすことによって戸締り性を良くすることができる。
【図面の簡単な説明】
【図１】上げ下げ窓を概略的に示す室内側正面図である。
（ａ）には上げ下げ窓が開放されている様子を示す。また（ｂ）には上げ下げ窓が閉鎖されている様子を示す。
【図２】図１に示したＩＩ−ＩＩ線に沿った断面図である。
【図３】サブロックの全体形態を示す該略図である。
（ａ）は正面図を、（ｂ）および（ｃ）は、本図（ａ）のＩＩＩｂ−ＩＩＩｂ線に沿った断面図を、（ｄ）は上面図を、また（ｅ）は底面図を示す。
【図４】右縦框とサブロックとを概略的に示す斜視図である。
【図５】サブロックが右縦框に取り付けられた様子を概略的に示す斜視図である。
【図６】従来のサブロックの例を示す。
【符号の説明】
５０  枠体
６０  内障子
６１  上框
６１ａ  上面
６２  下框
６３  右縦框
６４  左縦框
８０  外障子
８１  上框
８２  下框
８３  右縦框
８４  左縦框
８５  ガラスパネル
８６  ガラスパネル
１００  サブロック
１０１  ストッパー
１１１ａ〜１１１ｄ  グレージングチャネル（パネル押え）
１１２  操作部
１１５  枠部
１１８  段つきリベット（機構部）
１２２  孔
１４０  固定部
１５２  溝（枠部下面）
１６１  切り欠き部
１６２  固定孔
２００  上げ下げ窓
【図１】
2005036425.tif 000003
【図２】
2005036425.tif 000004
【図３】
2005036425.tif 000005
【図４】
2005036425.tif 000006
【図５】
2005036425.tif 000007
【図６】
2005036425.tif 000008